(57)【要約】  支持台と、この支持台上のそれぞれ所定の位置に配設された、座台、一対の踏込ペダルを備えた漕ぎ台及びハンドル台を備えた運動装置であって、前記座台は、弾性可撓軸を介して前記支持台上に取り付けられ、前記漕ぎ台は、踏込み方向の軸を前記座台側に傾斜させて前記支持台に取り付けられ、前記ハンドルは、弾性可撓軸を介して前記支持台上に取り付けられるようにして運動装置を構成する。
2008001476.tif 000002
【特許請求の範囲】
【請求項１】
支持台と、
前記支持台上のそれぞれ所定の位置に配設された、座台、一対の踏込ペダルを備えた漕ぎ台及びハンドル台を備えた運動装置において、
前記座台は、弾性可撓軸を介して前記支持台上に取り付けられ、
前記漕ぎ台は、踏込み方向の軸を前記座台側に傾斜させて前記支持台に取り付けられ、
前記ハンドルは、弾性可撓軸を介して前記支持台上に取り付けられている
ことを特徴とする運動装置。
【請求項２】
支持台と、
前記支持台の所定の位置に弾性可撓軸を介して取り付けられた座台と、
前記支持台上の前記座台の前方に踏込軸を前記座台側に傾斜させて取り付けられた漕ぎ台と、
前記支持台上の前記漕ぎ台の前方に前記座台側に傾斜させて取り付けた弾性可撓軸を介して左右に移動可能に保持されたハンドルと、
前記ハンドルを保持する弾性可撓軸の上部に取り付けられた前記ハンドルを左右に駆動させる駆動装置と
を有することを特徴とする運動装置。
【請求項３】
前記支持台は、平行配置した前方で上方へ湾曲する少なくとも一対のパイプとこれらを連結する補助部材とからなることを特徴とする請求項１又は２記載の運動装置。
【請求項４】
前記座台は、前記弾性可撓軸の上部と遥動自在に連結されていることを特徴とする請求項１乃至３のいずれか１項に記載の運動装置。
【請求項５】
前記座台を保持する弾性可撓軸の上部に遥動自在に連結された前記座台を、遥動させる駆動装置を有する請求項１乃至４のいずれか１項に記載の運動装置。
【請求項６】
前記漕ぎ台は、前記支持台へ、座台側に傾斜した所定の角度及び所定のストロークの範囲で進退可能に取り付けられた一対の足載せ台と、前記足載せ台を上方に付勢する弾性体とから構成されていることを特徴とする請求項１乃至３のいずれか１項に記載の運動装置。
【請求項７】
前記足載せ台を所定のストロークの範囲で進退可能に駆動させる駆動装置を有する請求項１乃至６のいずれか１項に記載の運動装置。
【請求項８】
前記ハンドルは、前記弾性可撓軸の上端に固設された保持台に左右に移動可能に保持されており、前記保持台には前記ハンドルを左右に移動させる駆動手段が搭載され、前記ハンドルのグリップ近傍もしくは、前記保持台上部には、前記駆動手段の制御装置が配設されていることを特徴とする請求項１乃至７のいずれか１項に記載の運動装置。
【請求項９】
支持台と、
前記支持台上のそれぞれ所定の位置に配設された、座台、一対の回転ペダルを備えた漕ぎ台及びハンドル台を備えた運動装置において、
前記座台は、弾性可撓軸を介して前記支持台上に取り付けられ、
前記漕ぎ台は、前記回転ペダルの回転軸を前記座台側に傾斜させて前記支持台に取り付けられ、
前記ハンドルは、前後方向に移動可能な可動部材を介して前記支持台上に取り付けられていることを特徴とする運動装置。
【請求項１０】
前記可動部材に対して負荷を加え、前記ハンドルを介した前後移動に対する負荷を調整するための負荷調整手段を有することを特徴とする、請求項９記載の運動装置。
【請求項１１】
前記支持台は、平行配置した一対のパイプと、これら一対のパイプからそれぞれ延在し、前記台座を支持するようにした、追加の一対のパイプとからなることを特徴とする請求項９又は１０記載の運動装置。
【請求項１２】
前記座台は、前記弾性可撓軸の上部と遥動自在に連結されていることを特徴とする請求項９乃至１１のいずれか１項に記載の運動装置。
【請求項１３】
前記座台を保持する弾性可撓軸の上部に遥動自在に連結された前記座台を、遥動させる駆動装置を有する請求項９乃至１２のいずれか１項に記載の運動装置。
【請求項１４】
前記漕ぎ台は、前記一対の回転ペダルの回転駆動の負荷状態を制御するための回転負荷調整手段を有することを特徴とする請求項９乃至１３のいずれか１項に記載の運動装置。
【請求項１５】
前記一対のペダルは、使用者が前記台座に座った際に形成される両肢の間隔よりも１０％以上離隔して配置することを特徴とする、請求項９乃至１４のいずれか１項に記載の運動装置。
【発明の詳細な説明】
【技術分野】
【０００１】
本発明は、使用者自らが運動する、あるいは駆動部に設置された一つもしくは複数のモータ等の駆動手段を補助的に使用して運動する運動装置に関する。
【背景技術】
【０００２】
従来から知られている踏み込みペダルを備えた足漕ぎ式の運動装置は、足を投げ出した状態で座ることのできる運動装置本体に固定されたサドルと、このサドルに座ったときに両脚が届く位置に設けられた、所定の負荷をかけることができる一対のペダルとから構成されている。この運動装置は、着座姿勢で足をこれらのペダルに載せて左右交互に足漕ぎ動作させることにより主として脚部の筋肉の鍛錬等に用いられる（例えば、特許文献１参照）。【０００３】
また、運動装置の座部がコイルバネ等により上下および前後左右に揺れ動くようにした乗馬型の運動装置も知られている（例えば、特許文献２参照）。
【特許文献１】特開２０００−１１６８１８公報
【特許文献２】特開２００３−１９０３４７公報
【発明の開示】
【発明が解決しようとする課題】
【０００４】
一般に、運動装置には、エネルギー消費量が多くなる全身運動のほかに、引き締めたい部位、例えば肩部、脚部、腕部等へ直接的に作用してその部位の筋肉を鍛える運動が可能な構造のものが望まれる。【０００５】
しかしながら、前述した、足漕ぎ式の運動装置では、ペダルにのせた両脚を交互に足漕ぎ動作したり、不安定な座部の揺れ動きによってバランスを崩した身体を平常を保とうとする身体機能を利用して筋肉に負荷をかける身体の肩部から脚部にかけての運動が主であり、腕部の筋肉を鍛えたり平衡感覚を養うための運動装置としては適していない。また、高齢者等の体力のない使用者に対しては運動量が大きすぎるという問題もあった。【０００６】
本発明は、上記の問題を解決するためになされたもので、従来通りの全身運動や引き締めたい部位へ直接的に作用してその部位の筋肉を鍛えると共に腕部の筋肉を鍛え、更に平衡感覚を養うことができるようにした運動装置を提供することを目的とする。また、本発明は、使用者の運動をアシストし、筋力のない使用者にも利用し易いようにした運動装置を提供することも目的とする。
【課題を解決するための手段】
【０００７】
上記の目的を解決するために、本発明の運動装置の一つの形態は、支持台と、前記支持台上のそれぞれ所定の位置に配設された、座台、一対の踏込ペダルを備えた漕ぎ台及びハンドル台を備えた運動装置において、前記座台は、弾性可撓軸を介して前記支持台上に取り付けられ、前記漕ぎ台は、踏込み方向の軸を前記座台側に傾斜させて前記支持台に取り付けられ、前記ハンドルは、弾性可撓軸を介して前記支持台上に取り付けられていることを特徴とする。【０００８】
また、本発明の運動装置の他の形態は、支持台と、前記支持台の所定の位置に弾性可撓軸を介して取り付けられた座台と、前記支持台上の前記座台の前方に踏込軸を前記座台側に傾斜させて取り付けられた漕ぎ台と、前記支持台上の前記漕ぎ台の前方に前記座台側に傾斜させて取り付けた弾性可撓軸を介して左右に移動可能に保持されたハンドルと、前記ハンドルを保持する弾性可撓軸の上部に取り付けられた前記ハンドルを左右に駆動させる駆動装置とを有することを特徴とする。【０００９】
本発明の運動装置は、支持台と、この支持台上のそれぞれ所定の位置に配設された、座台、一対の踏込ペダルを備えた漕ぎ台及びハンドル台を備えた運動装置において、座台とハンドルとが、それぞれ弾性可撓軸を介して支持台上に取り付けるようにしたので、座台に座り両足を踏込ペダルに載せて交互に足漕ぎ動作したり両足を同時に踏み込む動作をすると、座部とハンドルが不安定に揺動し、崩れたバランスを保とうとする身体機能により肩部から脚部にかけて複雑な運動をすることができ、これによって脚と腕部の筋肉を同時に鍛えることができ併せて平衡感覚を養うこともできる。【００１０】
上述した本発明の運動装置における支持台は、例えば、平行配置した前方で上方へ湾曲する少なくとも一対のパイプとこれらを連結する補助部材とから構成することができる。【００１１】
本発明の運動装置における座台は、弾性可撓軸の上部と遥動自在に連結して構成することができる。【００１２】
上記座台には、座台を揺動させる駆動装置を付設することができる。この場合、上述した踏み込み動作に関する座部の不安定な揺動に加えて、前記座部を前記駆動装置によって自動的（強制的）に揺動させることができるので、前記座台の揺動態様をより複雑にすることができる。したがって、上述した崩れたバランスを保つための身体機能による肩部から脚部にかけてより複雑な運動を誘引することができ、これによって脚と腕部との筋肉をより効果的に同時に鍛えることができ、併せて平衡感覚の養成もより効果的に行うことができるようになる。【００１３】
本発明の運動装置における漕ぎ台は、前記支持台へ、座台側に傾斜した所定の角度及び所定のストロークの範囲で進退可能に取り付けられた一対の足載せ台と、前記足載せ台を上方に付勢する弾性体とから構成することができる。なお前記足載せ台は、これらの足載せ台を所定のストロークで進退可能に駆動させる駆動装置を付設してもよい。この場合、前記駆動装置によって使用者の運動をアシストすることができハンディキャップ等に関係なく、より多くの人に運動装置を使用する機会を提供することができる。【００１４】
また、本発明の運動装置におけるハンドルは、弾性可撓軸の上端に固設された保持台に左右に移動可能に保持させ、この保持台にハンドルを左右に移動させる駆動手段を搭載するとともに、ハンドルのグリップ近傍、もしくは保持台上部にこの駆動手段の制御装置を配設するよう構成することもできる。したがって、前記駆動機構により前記ハンドルを自動的（強制的）に駆動するようにすれば、上述した崩れたバランスを保つための身体機能による肩部から脚部にかけてより複雑な運動を誘引することができ、これによって脚と腕部との筋肉をより効果的に同時に鍛えることができ、併せて平衡感覚の養成もより効果的に行うことができるようになる。【００１５】
さらに、本発明の運動装置のその他の形態は、支持台と、前記支持台上のそれぞれ所定の位置に配設された、座台、一対の回転ペダルを備えた漕ぎ台及びハンドル台を備えた運動装置において、前記座台は、弾性可撓軸を介して前記支持台上に取り付けられ、前記漕ぎ台は、前記回転ペダルの回転軸を前記座台側に傾斜させて前記支持台に取り付けられ、前記ハンドルは、前後方向に移動可能な可動部材を介して前記支持台上に取り付けられていることを特徴とする。【００１６】
このような構成の運動装置においては、支持台と、この支持台上のそれぞれ所定の位置に配設された、座台、一対の回転ペダルを備えた漕ぎ台及びハンドル台を備えた運動装置において、座台を弾性可撓軸を介して支持台上に取り付けるとともに、前記ハンドルを前後方向に移動可能な可動部材を介して前記支持台に取り付けるようにしたので、座台に座り両足を回転ペダルに載せて交互に足漕ぎ動作をすると、座部及びハンドルが不安定に揺動し、崩れたバランスを保とうとする身体機能により肩部から脚部にかけて複雑な運動をすることができる。この結果、脚と腕部の筋肉を同時に鍛えることができ併せて平衡感覚を養うこともできる。【００１７】
さらに、上記構成の運動装置においては、回転ペダルによる回転によって上記揺動を生ぜしめているので、上述した踏込み動作よりもより大きな揺動を引き起こすことが可能となる。したがって、上述の揺動に起因した筋肉鍛錬と平衡感覚との養成をより効果的に行うことができる。また、回転運動を利用しているので、上述した踏込み動作に比較して、脚自体の筋力増加を図ることもできる。【００１８】
また、前記ハンドルが前後方向に移動できるので、例えば前記ハンドルが前方に位置する場合は、使用者の背筋、及び背中側の筋肉をより重点的に鍛えることができ、前記ハンドルが後方に位置する場合は、使用者の腹筋、及び腹側の筋肉を重点的に鍛えることができる。【００１９】
また、本発明では、前記可動部材に対して負荷を加え、前記ハンドルを介した前後移動に対する負荷を調整するための負荷調整手段を設けることができる。したがって、この負荷状態を制御することによって、上述したハンドルの揺動を適宜制御できるため、上述した不安定な揺動の度合いを適宜に制御することができる。【００２０】
前記支持台は、平行配置した一対のパイプと、これら一対のパイプからそれぞれ延在し、前記台座を支持するようにした、追加の一対のパイプとから構成することができる。【００２１】
また、前記座台は、前記弾性可撓軸の上部と遥動自在に連結することができる。これによって上述した不安定揺動をより簡易かつ効率的に形成することができる。【００２２】
さらに、前記座台を保持する弾性可撓軸の上部に遥動自在に連結された前記座台を遥動させる駆動装置を設けることができる。この場合、上述した回転動作に関する座部の不安定な揺動に加えて、前記座部を前記駆動装置によって自動的（強制的）に揺動させることができるので、前記座台の揺動態様をより複雑にすることができる。したがって、上述した崩れたバランスを保つための身体機能による肩部から脚部にかけてより複雑な運動を誘引することができ、これによって脚と腕部との筋肉をより効果的に同時に鍛えることができ、併せて平衡感覚の養成もより効果的に行うことができるようになる。【００２３】
また、前記漕ぎ台は、前記一対の回転ペダルの回転駆動の負荷状態を制御するための回転負荷調整手段を有することができる。これによって、回転運動に伴う脚部自体の筋力鍛錬の度合いも自在に変化させることもできるし、前記回転運動に伴う座台の揺動状態なども自在に変化させることができる。したがって、上述した脚と腕部の筋肉の鍛錬の度合い及び平衡感覚を養成度合いを適宜に調節することができる。【００２４】
また、前記一対のペダルは、使用者が前記台座に座った際に形成される両肢の間隔よりも１０％以上離隔して配置することができる。この場合、回転運動に関するストロークが増大するので、脚自体の筋肉の鍛錬をより効果的に行うことができるとともに、腸腰筋、大腰筋などの鍛錬をも効果的に行うことができる。
【発明の効果】
【００２５】
以上説明したように、本発明によれば、従来通りの全身運動や引き締めたい部位へ直接的に作用してその部位の筋肉を鍛えると共に腕部の筋肉を鍛え、更に平衡感覚を養うことができるようにした運動装置を提供することができる。また、使用者の運動をアシストし、筋力のない使用者にも利用し易いようにした運動装置を提供するができる。
【図面の簡単な説明】
【００２６】
【図１】本発明の運動装置の第１の実施形態の側面図である。
【図２】図１に示した実施例の正面図である。
【図３】図１に示した実施例のサドル近傍の部分断面図である。
【図４】図１に示した実施例の漕ぎ台の斜視図である。
【図５】図１に示した実施例の漕ぎ台の構成を概略的に示す図である。
【図６】図１に示した実施例の漕ぎ台のペダルの踏み込み動作を概略的に示す図である。
【図７】図１に示した実施例のハンドル近傍の斜視図である。
【図８】図１に示した実施例のハンドルの駆動機構を概略的に示す図である。
【図９】図１に示した実施例の使用状況を示す図である。
【図１０】本発明の運動装置の第２の実施形態の斜視図である。
【図１１】図１０に示した実施例の側面図である。
【図１２】図１０及び１１に示した運動装置のサドル部分を拡大して示す図である。
【図１３】図１０に示した実施例の運動装置のサドル部分の変形例である。
【図１４】図１０に示した実施例の変形例を示す斜視図である。
【図１５】図１４に示した変形例の側面図である。
【符号の説明】
【００２７】
１……支持台、２……サドル、３……踏み込みペダル、４……漕ぎ台、５……ハンドル台、６……パイプ、７……補助部材、８……コイルバネ、９……半球状部、１０……半球状の凹部、１１……筐体、１２……強弱調整用ハンドル、１３……コイルバネ、１４……保持皿、１５……ラック、１６……ピニオン１６、１７……ハンドル本体、１８……コイルバネ、１９……連結箱、２０……グリップ、２１……駆動機構、２２……支持台、２３……レール機構、２４……カム機構部、２５……モータ、２６……クランク機構、２７制御ボタン、３１……支持台、３２……サドル、３３……回転ペダル、３４……漕ぎ台、３５……ハンドル、３８……コイルバネ、３９……可動制御装置、３３Ａ……クランク、３９Ａ……ダンパー。
【発明を実施するための最良の形態】
【００２８】
以下、本発明のその他の特徴及び利点に関して、発明を実施するための最良の形態に基づいて説明する。
（第１の実施形態）【００２９】
本実施形態の運動装置は、図１及び図２に示すように、支持台１、支持台１の後部寄りに配設されたサドル２、一対の踏み込みペダル３，３を備えた漕ぎ台４及びハンドル台５を備えている。平行配置した前方で上方へ湾曲する少なくとも一対のパイプ６、６とこれらを連結する補助部材７，７，…とから構成されている。【００３０】
サドル２は所定の剛性を備えたコイルバネ８を介して支持台１に取り付けられている。コイルバネ８の剛性は、使用者の体重による垂直方向の応力には耐えるが、身体を傾けたときの曲げ応力に対しては撓む強度とされている。また、サドル２とコイルバネ８は、図３に拡大して示すようにコイルバネ８の上部に設けた半球状部９とサドル２の下部に設けた半球状の凹部１０により、揺動自在に連結されている。【００３１】
また、漕ぎ台４は、図４に示すように、筐体１１に所定のストローク範囲で進退可能な一対の踏み込みペダル３，３が使用者側に向けて突設されている。この踏み込みペダル３，３の筐体１１に対する角度は、使用者が踏み込みペダル３，３に足を乗せたとき、運動者の膝が９０°以上曲がる角度にセッティングされている。踏み込みペダル３，３は人力で駆動させる運動方法と、図示はしないがモータを用いて駆動させる方法がある。【００３２】
筐体１１の側面には、踏み込みペダル３，３の負荷の強さを調節する強弱調整用ハンドル１２が設けられている。図５は、踏み込みペダル３，３のストローク長と負荷の強さを調整する機構を断面的に示したものである。この図において、漕ぎ台４の一方の踏み込みペダル３は、コイルバネ１３を介して弾力的に筐体１１により保持されており、踏み込みペダル３は、筐体１１内に所定のストロークで弾力的に踏み込み可能にとされている。コイルバネ１３は保持皿１４，１４を介して、筐体１１の内面と支持台１間に保持され、支持台１側の保持皿１４，１４間の間隙は、ラック１５とこのラック１５とかみ合い、かつ強弱調整用１２により回転されるピニオン１６により調節可能とされている。すなわち、強弱調整用１２を回転させるとピニオン１６が回転して保持皿１４，１４間の間隙が狭くなり、コイルバネ１３の剛性が大きくなり、足漕ぎ運動による運動量が大きくなり、足踏みによるストロークは小さくなる。【００３３】
踏み込みペダル３，３の足漕ぎ動作は図６（ａ）に示すように、足を交互に足踏みしてもよいし、同図（ｂ）に示すように両足を同時に踏み込んでもよい。また、強弱調整用ハンドル１２による調整や、足漕ぎ動作方法に関係なく、足漕ぎ運動による運動量が一定の運動量よりも大きくなると踏み込みペダル３，３の負荷が少なくなるようになっている。【００３４】
ハンドル台５は、図７、図８に示すように、両手で握るハンドル本体１７と、このハンドル本体１７を支持台１に対してほぼ垂直に保持する所定の剛性を持ったコイルバネ１８と、ハンドル本体１７とコイルバネ１８を連結する連結箱１９とから構成されている。２０，２０はハンドル本体１７の両端に被嵌されたグリップである。連結箱１９の中には、ハンドル本体１７の駆動機構２１が収納されている。この駆動機構２１は、ハンドル本体１７を固定する支持台２２と、詳しく図示はしないがこの支持台２２をレール機構２３，２３上を往復動させるカム機構部２４とから構成されており、モータ２５を駆動させると、カム機構部２４内部に設けられたクランク機構２６により支持台２２がレール機構２３，２３上を左右に往復運動する。符号２７，２７は、この往復動の速度および往復動の距離を調節する制御ボタンである。【００３５】
次に、以上のように構成された、運動装置の使用モードについて説明する。【００３６】
（第一モード）
駆動装置を用いずに、使用者自身による動作だけで運動を行うモードである。【００３７】
図９に示すように、まず使用者は支持台１を跨いでサドル２に座り、両手でハンドル１７のグリップ２０を持って両足を踏込みペダル３上に乗せる。この状態で、足漕ぎ動作をすると、踏み込みペダル３はコイルバネ１３の弾発力により踏み込み深さに応じた反力を生じ使用者はバランスを取るため体重移動が必要になる。このとき、サドル２は、体重移動につれてコイルバネ８上で回動するとともに、コイルバネ８により大きく遥動する。またハンドル１７も、体重移動により左右で力の入れ方が変わるため曲げ応力が作用して湾曲するため一層力の加え方がアンバランスになる。これらの、不安定動作によるアンバランスな応力に対してハンドル５、サドル２、踏み込みペダル３のいずれからも弾発力により応力に対応するアンバランスな反力が生じ使用者はそれらの合成された力をバランスさせるため、手、足、腰、上体等を移動させるので、全身運動が行われかつ平衡感覚が養われる。【００３８】
（第二モード）
足漕ぎペダル３を駆動装置でアシストするモードである。【００３９】
基本動作は、第一モードと同じであるので重複する説明は省略する。このモードの場合足漕ぎ運動が、使用者の意思と関係なく行われるため、使用者は、足漕ぎペダル３の動きに合わせて腕、腰、上体を動かすことになる。これによって、第一モードと同様の効果が得られるほか足漕ぎペダル３の動きに先立って足漕ぎペダル３の動きに備える動作をするようにため、より高度の反射運動を行うことができる。【００４０】
（第三モード）
ハンドル１７を駆動装置により左右に往復作動させるモードである。【００４１】
例えば第一モードの運動の後、ハンドル１７のグリップに設けたモータ２３の制御スイッチをいれてハンドル１７に左右への往復動を開始させる。このハンドル１７の往復動より、使用者はこの動きとバランスをとるため、足、腰および上体の運動を行う。これによって、第ニモードとは別の部位の運動を行うことができ反射運動も行われる。【００４２】
なお、以上の各モードは一例であって、本発明はかかるモードに限定されるものではない。例えば、これらのモードを適宜組み合わせて実施することも可能である。【００４３】
（第２の実施形態）
図１０は、本発明の第２の実施形態における運動装置の一例を概略的に示す斜視図であり、図１１は、図１０に示す運動装置の側面図である。また、図１２は、前記運動装置のサドル部分を拡大して示す図である。【００４４】
図１０及び１１に示すように、本実施形態における運動装置は、平行配置した一対のパイプに対して各パイプの略中央から上方に突出する追加の一対のパイプからなる支持台３１と、この支持台３１に対しコイルバネ３８を介して取り付けられたサドル３２とを備えている。コイルバネ３８は、上記第1の実施形態と同様に、使用者の体重による垂直方向の応力には耐えるが、身体を傾けたときの曲げ応力に対しては撓むような強度（剛性）に設定されている。なお、サドル３２とコイルバネ３８とは、図示しない治具によってコイルバネ３８の端部がサドル３２に固定されたような構造を呈している。【００４５】
支持台３１を構成する追加のパイプの略中央部には漕ぎ台３４が配置され、さらに漕ぎ台３４の両端部に突出したクランク３３Ａを介してその先端部に回転ペダル３３が設けられている。この結果、漕ぎ台３４は、回転ペダル３３の回転軸をサドル３２側に傾斜させた状態で支持台３１に取り付けられることになる。【００４６】
また、支持台３１を構成する前記追加の一対のパイプは、サドル３２の前方側から上方へ向かって立設し、ハンドル３５を支持するように構成されている。なお、ハンドル３５は所定の負荷が印加できるように構成された可動制御装置（可動部材）３９に連結されており、前記パイプは可動制御装置３９を直接的に支持し、その結果、ハンドル３５は前記パイプによって間接的に支持されている。【００４７】
なお、ハンドル３５は図から明らかなように、一般の自転車と同様の構成を呈し、両手で握れるような構成を呈している。【００４８】
本実施形態における運動装置は、使用者がサドル３２に座り、両足を回転ペダル３３に載せて交互に足漕ぎ動作をすると、サドル３２が不安定に揺動するとともにハンドル３５が前後方法に移動するため、崩れたバランスを保とうとする身体機能により肩部から脚部にかけて複雑な運動をすることができる。この結果、脚と腕部の筋肉を同時に鍛えることができ併せて平衡感覚を養うこともできる。【００４９】
さらに、上記構成の運動装置においては、回転ペダル３３による回転によって上記揺動を生ぜしめているので、第１の実施形態における踏込み動作よりもより大きな揺動を引き起こすことが可能となる。したがって、上述の揺動に起因した筋肉鍛錬と平衡感覚との養成をより効果的に行うことができる。また、回転運動を利用しているので、上述した踏込み動作に比較して、脚自体の筋力増加を図ることもできる。【００５０】
また、ハンドル３５が前後方向に移動できるので、例えばハンドル３５が前方に位置する場合は、使用者の背筋、及び背中側の筋肉をより重点的に鍛えることができ、ハンドル３５が後方に位置する場合は、使用者の腹筋、及び腹側の筋肉を重点的に鍛えることができる。【００５１】
また、本実施形態では、ハンドル３５は可動制御装置３９に連結されており、この可動制御装置３９に設けられたダンパー３９Ａを調整することにより、ハンドル３５の前後方向の移動に対する負荷を調整することができる。したがって、この負荷状態を制御することによって、上述したハンドル３５の揺動を適宜制御できるため、上述した不安定な揺動の度合いを適宜に制御することができる。【００５２】
さらに、回転ペダル３３は、クランク３３Ａによって使用者がサドル３２に座った際に形成される両肢の間隔よりも１０％以上離隔して配置することができる。例えば座った際に形成される両肢の間隔が約１９ｃｍであるとすると、本例の場合は約２２ｃｍとすることができる。この場合、回転ペダル３３を回転させる際のストロークが増大するので、脚自体の筋肉の鍛錬をより効果的に行うことができるとともに、腸腰筋、大腰筋などの鍛錬をも効果的に行うことができる。【００５３】
また、漕ぎ台３４は、回転ペダル３３の回転駆動の負荷状態を制御するための回転負荷調整手段を内部に有することができる。これによって、回転運動に伴う脚部自体の筋力鍛錬の度合いも自在に変化させることもできるし、前記回転運動に伴う座台の揺動状態なども自在に変化させることができる。したがって、上述した脚と腕部の筋肉の鍛錬の度合い及び平衡感覚を養成度合いを適宜に調節することができる。【００５４】
なお、上記手段としては、ブレーキ部材などの摺動力を利用したものなどを適宜用いることができる。【００５５】
さらに、本実施形態では特に図示していないが、サドル３２を保持するコイルバネ３８の上部に遥動自在に連結された駆動装置を設けることができる。また、サドルの形状を鞍状にしており腰部の保持を確保しつつ上体部を揺動できるので非常に効果的である。この場合、上述した回転動作に関するサドル３２の不安定な揺動に加えて、前記駆動装置によってサドル３２を自動的（強制的）に揺動させることができるので、サドル３２の揺動態様をより複雑にすることができる。【００５６】
したがって、上述した崩れたバランスを保つための身体機能による肩部から脚部にかけてより複雑な運動を誘引することができ、これによって脚と腕部との筋肉をより効果的に同時に鍛えることができ、併せて平衡感覚の養成もより効果的に行うことができるようになる。なお、このような運動は、いわゆるピラティス運動と呼ばれる。【００５７】
また、図１３は、上記態様のサドル部分の変形例を概略的に示す図である。上記例では、サドル３２の下部には２本のコイルバネ３８が設けられたのみであるが、本例では、サドル３２の下部に３本のコイルバネ３８が設けられている。したがって、本例におけるサドル３２を用いた場合は、上体部の揺動を３次元的に行うことができ、上述した筋肉鍛錬と平衡感覚の養成をより効果的に行うことができる。【００５８】
図１４は、上記第２の実施の形態における変形例を示す斜視図であり、図１５は、図１４に示す変形例の側面図である。本例においては、ハンドル３５が上記態様と比較して湾曲して形成されており、使用者がその湾曲上部を把持できるように構成されている。なお、その他の構成要素においては、上記態様と同じである。したがって、本例においては、使用者がハンドル３５をより確実に把持することができ、ハンドル３５を中心とした、上体部の前後運動などをより効果的に行うことができる。【００５９】
以上、本発明を上記具体例に基づいて詳細に説明したが、本発明は上記具体例に限定されるものではなく、本発明の範疇を逸脱しない限りにおいて、あらゆる変形や変更が可能である。
【図１】
2008001476.tif 000003
【図２】
2008001476.tif 000004
【図３】
2008001476.tif 000005
【図４】
2008001476.tif 000006
【図５】
2008001476.tif 000007
【図６】
2008001476.tif 000008
【図７】
2008001476.tif 000009
【図８】
2008001476.tif 000010
【図９】
2008001476.tif 000011
【図１０】
2008001476.tif 000012
【図１１】
2008001476.tif 000013
【図１２】
2008001476.tif 000014
【図１３】
2008001476.tif 000015
【図１４】
2008001476.tif 000016
【図１５】
2008001476.tif 000017
【国際調査報告】
2008001476.tif 000018
2008001476.tif 000019
2008001476.tif 000020
2008001476.tif 000021